(57)【特許請求の範囲】
【請求項１】
画像データに基づいて画像の印刷を行う画像出力装置に対して、前記画像データを供給する画像処理装置において、
原稿の画像を表す画像データを入力する入力手段と、
前記入力手段から入力された画像データに対して処理を行って前記画像出力装置に供給する処理手段と、
前記処理手段における処理の内容を示す指示を受け付ける処理内容受付手段と、
前記入力手段から入力された画像データに対応して前記処理内容受付手段が受け付けた処理内容と、当該処理内容に従って前記処理手段が処理をした結果である処理後画像データとを対応づけて記憶する記憶手段と、
前記画像出力装置から、予め定められた装置各部の状態を示す状態情報を受信する状態情報受信手段と、
前記記憶手段に記憶された前記処理後画像データを表示する表示手段と、
前記表示手段に表示される前記処理後画像データに対応する処理内容を前記記憶手段から読み出し、読み出した処理内容と前記状態情報受信手段が受信した状態情報とを比較することにより、前記処理後画像データに対応する処理が前記画像出力装置において可能か否かを判定する判定手段と、
前記判定手段の判定結果が否定的であった場合に、前記表示手段に表示される前記処理後画像データに対して予め定められた入れ換え処理を行う画像入れ換え手段とを具備し、
前記状態情報受信手段は、前記画像出力装置において用紙に付着して画像を形成する或る色のトナーが不足している場合には、当該或る色のトナーの残量が不足していることを示す状態情報を受信し、
前記画像入れ換え手段は、前記状態情報受信手段が前記或る色のトナーが不足していることを示す状態情報を受信した場合には、前記表示手段に表示される前記処理後画像データに対して当該或る色を除く編集処理を施す
ことを特徴とする画像処理装置。
【請求項２】
画像データに基づいて画像の印刷を行う画像出力手段と、
原稿の画像を表す画像データを入力する入力手段と、
前記入力手段から入力された画像データに対して処理を行って前記画像出力手段に供給する処理手段と、
前記処理手段における処理の内容を示す指示を受け付ける処理内容受付手段と、
前記入力手段から入力された画像データに対応して前記処理内容受付手段が受け付けた処理内容と、当該処理内容に従って前記処理手段が処理をした結果である処理後画像データとを対応づけて記憶する記憶手段と、
前記画像出力手段から、予め定められた装置各部の状態を示す状態情報を受信する状態情報受信手段と、
前記記憶手段に記憶された前記処理後画像データを表示する表示手段と、
前記表示手段に表示される前記処理後画像データに対応する処理内容を前記記憶手段から読み出し、読み出した処理内容と前記状態情報受信手段が受信した状態情報とを比較することにより、前記処理後画像データに対応する処理が前記画像出力手段において可能か否かを判定する判定手段と、
前記判定手段の判定結果が否定的であった場合に、前記表示手段に表示される前記処理後画像データに対して予め定められた入れ換え処理を行う画像入れ換え手段とを具備し、
前記状態情報受信手段は、前記画像出力手段において用紙に付着して画像を形成する或る色のトナーが不足している場合には、当該或る色のトナーが不足していることを示す状態情報を受信し、
前記画像入れ換え手段は、前記状態情報受信手段が前記或る色のトナーが不足していることを示す状態情報を受信した場合には、前記表示手段に表示される前記処理後画像データに対して当該或る色を除く編集処理を施す
を具備することを特徴とする画像処理装置。
【請求項３】
前記画像入れ換え手段は、前記表示手段に表示される前記処理後画像データに対して、予め定められた画像データを入れ換えることで前記入れ換え処理を行うことを特徴とする請求項１または２記載の画像処理装置。
【請求項４】
前記画像入れ換え手段は、前記表示手段に表示される前記処理後画像データに対して予め定められた編集処理を施すことにより前記入れ換え処理を行うことを特徴とする請求項１または２に記載の画像処理装置。
【請求項５】
前記状態情報は、印刷が行われる用紙に関する情報であって、用紙サイズ、用紙の材質、用紙の搬送方向の少なくともいずれかを示す情報が含まれていることを特徴とする請求項１から４のいずれかに記載の画像処理装置。
【請求項６】
前記状態情報は、画像を記憶するための記憶手段の残容量を示す情報を含むことを特徴とする請求項１から４のいずれかに記載の画像処理装置。
【請求項７】
画像データに基づいて画像の印刷を行う画像出力手段と、
原稿の画像を表す画像データを入力する入力手段と、
前記入力手段から入力された画像データに対して処理を行って前記画像出力手段に供給する処理手段と、
前記処理手段における処理の内容を示す指示を受け付ける処理内容受付手段と、
前記入力手段から入力された画像データに対応して前記処理内容受付手段が受け付けた処理内容と、当該処理内容に従って前記処理手段が処理をした結果である処理後画像データとを対応づけて記憶する記憶手段と、
前記画像出力手段から、予め定められた装置各部の状態を示す状態情報を受信する状態情報受信手段と、
前記記憶手段に記憶された前記処理後画像データを表示する表示手段と、
前記表示手段に表示される前記処理後画像データに対応する処理内容を前記記憶手段から読み出し、読み出した処理内容と前記状態情報受信手段が受信した状態情報とを比較することにより、前記処理後画像データに対応する処理が前記画像出力手段において可能か否かを判定する判定手段と、
前記判定手段の判定結果が否定的であった場合に、前記表示手段に表示される前記処理後画像データに対して予め定められた入れ換え処理を行う画像入れ換え手段とを具備し、
前記状態情報受信手段は、前記画像出力手段において用紙に付着して画像を形成する或る色のトナーが不足している場合には、当該或る色のトナーが不足していることを示す状態情報を受信し、
前記画像入れ換え手段は、前記状態情報受信手段が前記或る色のトナーが不足していることを示す状態情報を受信した場合には、前記表示手段に表示される前記処理後画像データに対して当該或る色を除く編集処理を施し、
前記画像出力手段、前記入力手段、前記処理手段、前記処理内容受付手段、前記記憶手段、前記状態情報受信手段、前記表示手段、前記判定手段および、前記画像入れ換え手段のうち少なくともいずれか一つがネットワークを介して他の手段と接続されていることを特徴とする画像処理システム。
【請求項８】
画像データが供給されると当該画像データに基づいて画像の印刷を行う画像出力ステップと、
原稿の画像を表す画像データを入力する入力ステップと、
前記入力ステップから入力された画像データに対して処理を行って前記画像出力ステップに供給する処理ステップと、
前記処理ステップにおける処理の内容を示す指示を受け付ける処理内容受付ステップと、
前記入力ステップから入力された画像データに対応して前記処理内容受付ステップが受け付けた処理内容と、当該処理内容に従って前記処理ステップが処理をした結果である処理後画像データとを対応づけて記憶手段に記憶する記憶ステップと、
予め定められた装置各部の状態を示す状態情報を受信する状態情報受信ステップと、
前記記憶手段に記憶された前記処理後画像データを表示する表示ステップと、
前記表示ステップで表示される前記処理後画像データに対応する処理内容を前記記憶手段から読み出し、読み出した処理内容と前記状態情報受信ステップにおいて受信された状態情報とを比較することにより、前記処理後画像データに対応する処理が前記画像出力ステップにおいて可能か否かを判定する判定ステップと、
前記判定ステップの判定結果が否定的であった場合に、前記表示ステップで表示される前記処理後画像データに対して予め定められた入れ換え処理を行う画像入れ換えステップとを具備し、
前記状態情報受信ステップでは、用紙に付着して画像を形成する或る色のトナーが不足している場合には、当該或る色のトナーが不足していることを示す状態情報を受信し、
前記画像入れ換えステップでは、前記状態情報受信ステップで前記或る色のトナーが不足していることを示す状態情報を受信した場合には、前記表示ステップで表示される前記処理後画像データに対して当該或る色を除く編集処理を施す
ことを特徴とする画像処理方法。
【発明の詳細な説明】
【技術分野】
【０００１】
本発明は、入力された画像データに対して画像処理を行うとともに、この画像データの一部を縮小して一覧表示を行う画像処理装置、画像処理システムおよび画像処理方法に関する。
【背景技術】
【０００２】
複写機やプリンタあるいはパーソナルコンピュータやデジタルカメラなどの画像処理を行う装置においては、入力された画像データを記憶し、記憶した画像データを縮小してサムネイルとして一覧表示を行うようにした機能を有するものがある。このような一覧表示機能があると、その一覧から出力（プリントアウト等）をしたい画像データを選択することができ便利である。
【０００３】
しかし、一覧表示されたサムネイルに対応する画像が必ずしも適切でない場合がある。例えば、ピンぼけ画像やぶれ画像などであった場合は、これらを印刷しても良好な結果は得られない。そこで、そこで特許文献１では、各サムネイルに対応する画像データを解析し、適切な画像でない場合は、その解析結果を一覧表示において縮小画像に付加して表示している。
【０００４】
また、特許文献２では、入力された画像データが画像プリントが作成可能なデータであるかを判断し、不可であると判断された画像データについては、その旨を示す情報をインデックスプリントに付加して表示している。
【特許文献１】特開平１１−１７５７０３号公報
【特許文献２】特開２００３−２２９９８１号公報
【発明の開示】
【発明が解決しようとする課題】
【０００５】
しかしながら、上記特許文献では、入力画像データ自体を判定するものであり、仮に入力画像データが適切であっても、出力側（画像出力装置など）の状態により正常に出力できない場合がある。このような場合、出力を指示した後、あるいは出力中でなければその状況が分からないという問題がある。例えば、カラーの原稿をプリントしたい場合、プリンタにマゼンダのトナーがない場合でも、一覧表示にはカラーの原稿を表す縮小画像が表示される。しかし、このカラーの縮小画像を選択して出力を指示しても、マゼンダのトナーがないためトナー不足の警告が発せられてプリント動作を行うことができないか、あるいは、そのままプリントが行われたとしてもマゼンタの抜けた画像になってしまう。
【０００６】
本発明は、このような事情に鑑みてなされたものであり、出力指示を行う前に、そのジョブの出力が正常に行われるか否かを通知することができる画像処理装置、画像処理システムおよび画像処理方法を提供することを目的とする。
【課題を解決するための手段】
【０００７】
上述した課題を解決するために本発明は、画像データに基づいて画像の印刷を行うとともに予め定められた装置各部の状態を示す状態情報を出力する画像出力装置に対して、前記画像データを供給する画像処理装置において、原稿の画像を表す画像データを入力する入力手段と、前記入力手段から入力された画像データに対して処理を行って前記画像出力装置に供給する処理手段と、前記処理手段における処理の内容を示す指示を受け付ける処理内容受付手段と、前記入力手段から入力された画像データに対応して前記処理内容受付手段が受け付けた処理内容と、当該処理内容に従って前記処理手段が処理をした結果である処理後画像データとを対応づけて記憶する記憶手段と、前記状態情報を受信する状態情報受信手段と、前記記憶手段に記憶された前記処理後画像データを表示する表示手段と、前記表示手段に表示された前記処理後画像データに対応する処理内容を前記記憶手段から読み出し、読み出した処理内容と前記状態情報受信手段が受信した状態情報とを比較することにより、前記処理後画像データに対応する処理が前記画像出力装置において可能か否かを判定する判定手段と、前記判定手段の判定結果が否定的であった場合に、前記表示手段に表示されている前記処理後画像データに対して予め定められた入れ換え処理を行う画像入れ換え手段とを具備することを特徴とする画像処理装置を提供する。
【０００８】
また、本発明は、画像データに基づいて画像の印刷を行うとともに予め定められた装置各部の状態を示す状態情報を出力する画像出力手段と、原稿の画像を表す画像データを入力する入力手段と、前記入力手段から入力された画像データに対して処理を行って前記画像出力手段に供給する処理手段と、前記処理手段における処理の内容を示す指示を受け付ける処理内容受付手段と、前記入力手段から入力された画像データに対応して前記処理内容受付手段が受け付けた処理内容と、当該処理内容に従って前記処理手段が処理をした結果である処理後画像データとを対応づけて記憶する記憶手段と、前記状態情報を受信する状態情報受信手段と、前記記憶手段に記憶された前記処理後画像データを表示する表示手段と、前記表示手段に表示された前記処理後画像データに対応する処理内容を前記記憶手段から読み出し、読み出した処理内容と前記状態情報受信手段が受信した状態情報とを比較することにより、前記処理後画像データに対応する処理が前記画像出力装置において可能か否かを判定する判定手段と、前記判定手段の判定結果が否定的であった場合に、前記表示手段に表示されている前記処理後画像データに対して予め定められた入れ換え処理を行う画像入れ換え手段とを具備することを特徴とする画像処理装置を提供する。
【０００９】
本発明の好ましい様態においては、前記画像入れ換え手段は、前記表示手段に表示されている前記処理後画像データに対して、予め定められた画像データを入れ換えることで前記入れ換え処理を行ってもよい。
また、前記画像入れ換え手段は、前記表示手段に表示されている前記処理後画像データに対して予め定められた編集処理を施すことにより前記入れ換え処理を行ってもよい。
さらに、前記画像入れ換え手段は、前記状態情報が所定色のトナー不足を示す内容であった場合には、前記処理後画像データに対して前記状態情報によって示される色を除く編集処理を施してもよい。
【００１０】
また、本発明の好ましい様態においては、前記状態情報は、印刷が行われる用紙に関する情報であって、用紙サイズ、用紙の材質、用紙の搬送方向の少なくともいずれかを示す情報を含んでもよい。
さらに、前記状態情報は、用紙に付着して画像を形成するトナーに関する情報であって、特定の色のトナーが不足していることを示す情報を含んでもよい。
また、前記状態情報は、画像を記憶するための記憶手段の残容量を示す情報を含んでもよい。
【００１１】
さらに、本発明は、画像データに基づいて画像の印刷を行うとともに予め定められた装置各部の状態を示す状態情報を出力する画像出力手段と、原稿の画像を表す画像データを入力する入力手段と、前記入力手段から入力された画像データに対して処理を行って前記画像出力手段に供給する処理手段と、前記処理手段における処理の内容を示す指示を受け付ける処理内容受付手段と、前記入力手段から入力された画像データに対応して前記処理内容受付手段が受け付けた処理内容と、当該処理内容に従って前記処理手段が処理をした結果である処理後画像データとを対応づけて記憶する記憶手段と、前記状態情報を受信する状態情報受信手段と、前記記憶手段に記憶された前記処理後画像データを表示する表示手段と、前記表示手段に表示された前記処理後画像データに対応する処理内容を前記記憶手段から読み出し、読み出した処理内容と前記状態情報受信手段が受信した状態情報とを比較することにより、前記処理後画像データに対応する処理が前記画像出力装置において可能か否かを判定する判定手段と、前記判定手段の判定結果が否定的であった場合に、前記表示手段に表示されている前記処理後画像データに対して予め定められた入れ換え処理を行う画像入れ換え手段とを具備し、前記画像出力手段、前記入力手段、前記処理手段、前記処理内容受付手段、前記記憶手段、前記状態情報受信手段、前記表示手段、前記判定手段および、前記画像入れ換え手段のうち少なくともいずれか一つがネットワークを介して他の手段と接続されていることを特徴とする画像処理システムを提供する。
【００１２】
また、本発明は、予め定められた装置各部の状態を示す状態情報を出力するとともに、画像データが供給されると当該画像データに基づいて画像の印刷を行う画像出力ステップと、原稿の画像を表す画像データを入力する入力ステップと、前記入力ステップから入力された画像データに対して処理を行って前記画像出力ステップに供給する処理ステップと、前記処理ステップにおける処理の内容を示す指示を受け付ける処理内容受付ステップと、前記入力ステップから入力された画像データに対応して前記処理内容受付ステップが受け付けた処理内容と、当該処理内容に従って前記処理ステップが処理をした結果である処理後画像データとを対応づけて記憶手段に記憶する記憶ステップと、前記状態情報を受信する状態情報受信ステップと、前記記憶手段に記憶された前記処理後画像データを表示する表示ステップと、前記表示ステップに表示された前記処理後画像データに対応する処理内容を前記記憶手段から読み出し、読み出した処理内容と前記状態情報受信ステップにおいて受信された状態情報とを比較することにより、前記処理後画像データに対応する処理が前記画像出力装置において可能か否かを判定する判定ステップと、前記判定ステップの判定結果が否定的であった場合に、前記表示ステップに表示されている前記処理後画像データに対して予め定められた入れ換え処理を行う画像入れ換えステップとを具備することを特徴とする画像処理方法を提供する。
【発明の効果】
【００１３】
本発明によれば、一覧表示された画像が出力手段側の問題により出力できない状況であっても、出力指示を行う前にその状況が通知される。これにより、一覧表示において出力を指示された画像が出力できない、という不具合を減らすことができる。その結果、従来画像が正常に出力されるまで出力手段付近で待機するなどの時間と手間が低減されるため、操作性が向上する。
【発明を実施するための最良の形態】
【００１４】
以下、本発明に関する実施形態について図面を参照しながら説明する。
＜構成＞
図１は画像形成装置１の概略構成を示す図である。図１に示すように、２は筐体であり、装置各部を制御する制御部５が設けられている。また、この筐体２の下部には破線で示す位置に用紙収納部７が設けられており、この用紙収納部７から搬送された用紙に対して画像が印刷されるようになっている。３は画像入力部であり、筐体２の上方に設けられている。この画像入力部３は、原稿を読み込んで原稿画像を表す画像データに変換する。また、図１に示す６は表示操作部であり、画像入力部３の手前側であって装置前面の上部に設けられている。
【００１５】
図２は、本実施形態のブロック図である。図２において、制御部５はＣＰＵ（Central Processing Unit）５１を有している。ＣＰＵ５１は、ＲＯＭ５２に格納されている各種制御プログラムをＲＡＭ５３に読み出し、ＲＡＭ５３をワークエリアとして用いて、読み出した各種制御プログラムを実行する。
また、４は記憶部であり、入力画像データやこの入力画像データを縮小したデータなどが記憶される。画像データが入力されると、記憶部４には入力された画像データのフォルダが作成され、各画像データに関する各種データはこのフォルダに記憶される。この記憶部４には、例えば、ハードディスク装置が用いられる。
【００１６】
上述した画像入力部３は、原稿をプラテンガラス上に搬送するフィーダが設けられている。フォーダにセットされた原稿は一枚ずつ取り込まれてプラテンガラス上に搬送される。これにより、原稿の画像は図示せぬＣＣＤ（Charge Coupled Device）等のデバイスにより画像データに変換され、さらにＹ（イエロー）、Ｍ（マゼンタ）、Ｃ（シアン）、Ｋ（ブラック）などのトナーの色に対応した色毎の画像データに色分解される。
【００１７】
上述した表示操作部６は、制御部５の制御の下に、例えば、操作を促すメッセージや処理状況を示す種々の表示を行うとともに、印刷動作の印刷設定の入力も受け付ける。表示操作部６は、液晶ディスプレイとその表示面に重ねて配置される透明のタッチパネルとを有しており、表示画面は長方形状の画面になっている。表示操作部６のタッチパネル上の押圧位置は、ＣＰＵ５１によって検出され、これによってどのような設定が入力されたかが認識されるようになっている。
【００１８】
８は画像形成部であり、この画像形成部８は、制御部５によって処理された画像データを用紙に転写して画像形成を行う。より詳細に言えば、画像形成部８は、Ｙ（イエロー）、Ｍ（マゼンタ）、Ｃ（シアン）、Ｋ（ブラック）各色のトナーを収納するトナーカートリッジ８ａが備えられており、制御部５から供給される画像データに基づいて各色のトナーを感光体ドラム（図示略）上に順次付着し、各色のトナー像を形成する。そして、これらのトナー像を用紙に重ねて転写することにより、カラー画像を形成する。トナーカートリッジ８ａの内部にトナー量検出部１０が設けられている。このトナー量検出部１０は、例えば光学式のセンサによってトナー残量がないことを検出し、検出信号Ｓ５を出力する。ここで、検出信号Ｓ５は、どの色のトナーの残量がないかという内容の信号である。
【００１９】
次に、用紙収納部７の詳細について説明する。本実施形態では、用紙収納部７に３つのトレー７ａ，７ｂ，７ｃが設けられている。各トレー７ａ，７ｂ，７ｃには、用紙の束が収納されるようになっており、各トレー７ａ，７ｂ，７ｃを図１に示す手前側に引き出した状態において用紙の補充が可能になっている。また、各トレー７ａ，７ｂ，７ｃには、用紙の束の端部の位置を各辺毎に規制する複数の側壁部材が設けられている。この側壁部材は移動可能に構成され、この側壁部材の位置を適宜設定することにより、サイズの異なる用紙、例えば、Ａ４，Ａ３，Ｂ４，Ｂ５などの用紙を位置決めして収納できるようになっている。さらに、側壁部材の位置によっては、同じサイズの用紙であっても、その搬送方向を縦方向とするか横方向とするかが適宜設定できるようになっている。
【００２０】
上述した側壁部材の位置は光学センサ等によって検出され、その検出信号からどの用紙がどのような向きで収納されているかが判定できるようになっている。図２に示す用紙検出部ＳＥａ１、ＳＥｂ１、ＳＥｃ１は、各々上述の光学センサ等を有した検出手段であり、各々の検出信号Ｓａ１、Ｓｂ１、Ｓｃ１の内容は、用紙サイズおよび用紙向きを示す内容となる。
また、各各トレー７ａ，７ｂ，７ｃには、その上方から光を照射し、その反射光を受光することにより、収納されている用紙が光沢紙かどうかを判定する材質検出センサＳＥａ２、ＳＥｂ２、ＳＥｃ２が設けられている。この場合、光沢紙であれば反射率が高いので、材質検出センサの受光光量が多くなるため、所定の閾値で受光光量の大きさを判定することにより、光沢紙か否かを判定することができる。材質検出センサＳＥａ２、ＳＥｂ２、ＳＥｃ２から各々出力される検出信号Ｓａ２、Ｓｂ２、Ｓｃ２の内容は、各々光沢紙であるか否かを示す内容となっている。
なお、上述した用紙サイズや用紙向きあるいは用紙の材質検出は、他の方式によるセンサを用いてもよい。要するにこれらの状態が検出できるセンサで有れば、どのようなセンサを用いてもよい。
【００２１】
＜動作＞
（サムネイルの作成）
次に、本実施形態の動作について説明する。まず、制御部５は、電源投入後においては、表示操作部６に初期画面（図示略）を表示する。この初期画面は、印刷動作やサムネイルの表示など、種々のモードに対応する画面へ移行できるようになっている。ここで、印刷動作を設定する画面の表示が指示されると、制御部５は表示操作部６に印刷する用紙のサイズや用紙方向、用紙の紙質や印刷ページ、カラーモードなどの設定を入力する印刷設定画面を表示する。ここで、表示操作部６から任意の印刷設定が入力されると、制御部５はこれらの入力された情報を印刷設定情報として記憶部４の所定のフォルダに記憶させる。
【００２２】
そして、表示操作部６から印刷の指示が行われると、画像入力部３はフィーダにセットされた原稿を一枚ずつ読み込み、この原稿の画像表す画像データに変換する。この画像データはＲＡＭ５３に一時記憶される。
次に、制御部５は画像データをＲＡＭ５３から読み出し、縮小処理を施して所定の大きさに縮小した画像データ（サムネイル画像データ）を作成する。この縮小処理は、例えば画像データの画素を間引いて予め定められた大きさに縮小する方法がある。続いて、制御部５は作成したサムネイル画像データを対応する印刷設定情報と対にして記憶部４の所定のフォルダに記憶させる。
以上の処理により各印刷設定（ジョブ）毎に画像処理後のサムネイル画像データが記憶され、これにより、これらのサムネイル画像データを適宜読み出す事により、ジョブに対応した処理後のサムネイルを表示することができる。
【００２３】
（サムネイルの表示）
次に、サムネイルの表示動作について説明をする。まず、制御部５は、電源投入後においては、表示操作部６に初期画面（図示略）を表示する。この初期画面は、コピー動作やサムネイルの表示など、種々のモードに対応する画面へ移行できるようになっている。ここで、表示操作部６からサムネイル表示の指示が入力されると、制御部５は図３に示すフローの処理を実行する。
【００２４】
表示操作部６からサムネイル表示の指示が入力されると、制御部５は記憶部４からサムネイル画像データと印刷設定情報とを読み出す（ステップＳＡ１）。次に、制御部５は各検出信号（状態情報）Ｓａ１〜Ｓｃ１、Ｓａ２〜Ｓｃ２およびＳ５を読み取り、印刷側の状況を認識し（ステップＳＡ２）、各サムネイル画像データに対応するジョブが正常に行われるかどうかを判定する（ステップＳＡ３）。
【００２５】
例えば、読み出したサムネイル画像データに対するジョブについて、用紙サイズの指定が「Ａ３」であり、検出信号Ｓａ１〜Ｓｃ１のいずれかが用紙サイズも「Ａ３」を示している場合は、双方の用紙サイズが合致するため、制御部５は当該ジョブは正常に出力できると判断する。
一方、例えば、印刷設定の用紙サイズの情報が「Ａ３」であるが、検出信号Ｓａ１〜Ｓｃ１のいずれもが「Ａ３」を示さない場合、双方の用紙サイズが合致しないため、制御部５は当該ジョブは正常に実行できないと判断する。
【００２６】
また、例えば、用紙のサイズは合致したものが検出されたとしても、印刷設定した用紙の紙質が「光沢紙」であって、検出信号Ｓａ２〜Ｓｃ２のいずれもが「光沢紙」を検出していない場合は、制御部５は当該ジョブは正常に実行できないと判断する。
【００２７】
さらに、用紙サイズと用紙材質が合致したとしても、例えば、印刷設定がカラーを指定しているのに、信号Ｓ５がＭ（マゼンタ）のトナーがない旨を示す内容であった場合には、制御部５は当該ジョブは正常に実行できないと判断する。
以上のように、制御部５は当該ジョブについて設定されている全ての条件について判断し、その一つでも満たされない場合には、当該ジョブは正常に実行できないと判断する。
【００２８】
以上のような判断処理の結果、ステップＳＡ３の判断が「ＹＥＳ」となったときは、制御部５は記憶部４から読み出したサムネイル画像データを表示操作部６の所定の位置に表示する（ステップＳＡ５）。
一方、ステップＳＡ３の判断が「ＮＯ」、すなわち制御部５がそのサムネイルに対応するジョブは正常に実行できないと判断した場合は、本来のサムネイルに対し、「用紙がありません」、「指定された紙質の用紙がありません」、「トナーがありません」などの文字が書かれたサムネイルに入れ換え（ステップＳＡ４）、本来のサムネイルが表示される表示操作部６の位置に表示する（ステップＳＡ５）。
【００２９】
そして、制御部５は表示操作部６の１画面において表示すべき全てのサムネイルについて上述の動作を行う。
【００３０】
ここで、図４はサムネイル一覧の表示例であるが、同図に示すように所定数のサムネイルが一覧表示される。この場合、図示のように各サムネイルの下方には、「文書名１」、「文書名２」のように原稿画像を示す名前が表示されるが、例えば、文章名６の画像に対して設定されたサイズの用紙がない場合、制御部５は、文書名６の本来のサムネイル（処理後の画像を縮小した画像）に代えて、図４に示すように「用紙がありません」という文字が書かれたサムネイルを表示する。
【００３１】
また、制御部５は、例えば、文章名２の画像に対して印刷設定に設定された紙質の用紙がない場合、制御部５は、文書名２の本来のサムネイルに代えて、図５に示すような「指定された紙質の用紙がありません」という文字が書かれたサムネイルを表示する。
さらに、制御部５は、例えば、文章名１と４と５の画像に対して印刷で使用するトナーの残量がない場合、制御部５は、文章名１と４と５の本来のサムネイルに代えて、図６に示すような「トナーがありません」という文字が書かれたサムネイルを表示する。
【００３２】
上述した「用紙がありません」、「指定された紙質の用紙がありません」、「トナーがありません」という文字が書かれたサムネイルは、予め記憶部４の所定の記憶エリアに記憶されており、制御部５は検出信号と印刷設定情報に基づく判定結果に応じたサムネイルを読み出して、元のサムネイルに代えて表示する。また、サムネイルに対応するジョブについて設定された各種の条件のうち、２以上の条件について満たされていない場合についても、それぞれの場合に対応したサムネイル画像を予め記憶部４に記憶させておき、これらを満たされていない条件に合わせて読み出して、本来のサムネイルに代えて表示する。
【００３３】
以上の処理により、ユーザはサムネイルの一覧表示を確認するだけで、各印刷設定について正常な出力ができるかどうかを判別することができる。
【００３４】
＜変形例＞
以上、本発明の実施形態について説明したが、本発明は上述した実施形態に限定されることなく、他の様々な形態で実施可能である。
（１）上述した実施形態では、判別結果を示すサムネイルとして、「用紙がありません」や「トナーがありません」などの文字が書かれたサムネイルを作成したが、判別結果を示せればこれに限らない。例えば、「Ａ３用紙がありません」や「Ｙ（イエロー）トナーがありません」のようにより詳細な判別結果を示す文字が書かれたサムネイルでも構わないし、図７に示すように用紙無しを示すイラストを作成して該当するサムネイルの周辺に表示させてもよい。
【００３５】
さらに、図８に示すように、出力手段が出力しうる状態、例えば、Ｍ（マゼンタ）のトナーがない場合は、Ｍ（マゼンタ）のトナーを除いた画像データのサムネイル作成し、表示しても構わない。すなわち、表示されている元のサムネイル画像を編集し、アウトプットできる状態に合わせてマゼンタの色を除いた画像にしてサムネイル表示を行っても良い。この場合には、利用者は、完全な処理はできないものの、現状で出力し得る状態でも構わないときは、早期にその処理を実行させることができる。しかも、どのようなアウトプットになるかがサムネイルによって表示されるので、アウトプット後の画像イメージを事前に知ることができ、処理の続行か中止をより正確に判断することができる。
【００３６】
（２）上述した実施形態では、サムネイルの一覧表示が指示されると、デバイスの状態が正常ではない画像について、判別結果を示すサムネイルを予め記憶させたが、判定結果に応じてその時点でサムネイル画像を形成してもよい。
さらに、サムネイルの表示が指示されるとまず通常のサムネイルの一覧表示を表示するとともに、このサムネイルの一覧表示の画面に図９に示す状態を適用するボタンを表示し、このボタンが押下されたときに、制御部５が正常に実行できないジョブに対応するサムネイル表示を変えるようにしてもよい。
【００３７】
（３）上述した実施形態では、用紙のサイズと紙質、トナーの有無についての状態を判断したが、状態を検出する対象はこれらに限らない。印刷側の状態であって、ジョブの実行に関連するものであればどのようなものでもよい。
例えば、制御部５が画像入力部３画像データの容量とＲＡＭ５３の利用可能なメモリ容量とを比較して、利用可能なメモリ容量を上回っている場合に、ジョブが正常に実行できないと判断し、判別結果を示すサムネイルを表示しても構わない。
【００３８】
（４）また、以下のような構成を付加してもよい。すなわち、画像入力部３のプラテンガラスの下方に原稿をカウントするセンサを設け、制御部５がこのカウントした情報に基づいて原稿の総ページ数を検出し、記憶部４に記憶する。また、用紙収納部７の底面には重量検出センサを設け、用紙収納部に収納されている用紙の重量を測定して制御部５に測定結果を送信する。制御部５は予め用紙一枚あたりの枚数とその重量が定められたテーブルを保持しており、重量検出センサから検出された用紙重量に基づいて、用紙収納部に収納されている用紙の枚数を推定する。これにより、制御部５は記憶部４から読み出した原稿の総ページ数と用紙収納部に収納されている用紙の枚数とを比較し、原稿の総ページ数が用紙収納部に収納されている用紙の枚数よりも多い場合は、ジョブが正常に実行できないと判断し、判別結果を示すサムネイルを表示してもよい。
【００３９】
（５）さらに、Ａ４の用紙の搬送路上に光を放射する複数のセンサと、搬送される用紙を挟んでその光を受信する受信部を設けて、用紙が光を遮ることにより用紙の通過を検知し、用紙搬送路の不具合により用紙の搬送が止まった場合には、当該ジョブを正常に実行できないと判断して、判断結果を示すサムネイルを表示してもよい。
【００４０】
（６）上述した実施形態では、制御部５は、原稿の画像を入力した際に、表示操作部６から入力した印刷設定の情報を記憶部４に記憶させ、この印刷設定の情報に基づいて当該ジョブが正常に実行できるか否かを判断したが、原稿の画像を入力した際に、画像入力部３において原稿の画像の情報を検出し、この画像の情報を記憶部４に記憶させるとともに、この画像の情報に基づいて対応するジョブが正常に実行できるか否かを判断してもよい。
【００４１】
例えば、画像入力部３のプラテンガラスの下方に複数の光センサを配置された原稿のサイズを検知できる所定の位置、例えばマトリックス状に設ける。これにより、各光センサは、光の反射の差から、自分自身の上に原稿が配置されていると検出したときは、その旨を示す検知信号を制御部５に出力する。制御部５は、この検知信号を読み出し、光センサの配置の組み合わせと用紙サイズを予め定めたテーブルを参照して原稿の用紙サイズを判断し、その判断結果を記憶部４に格納する。これにより、制御部５は画像入力部３から検出した用紙サイズに対して、当該ジョブが正常に実行できるかどうかを判断することができる。
【００４２】
また、原稿の画像を入力した際に変換された画像データを記憶部４に記憶させておき、この画像データを出力する際に入力された印刷設定情報と画像データとを対応付けて記憶部４に記憶させると、この画像データを再び出力する際に、記憶部４に記憶されている前回出力した際に入力された印刷設定情報に基づいて、対応するジョブが正常に実行できるか否かを判断してもよい。
【００４３】
（７）また、ジョブの設定においては、用紙を収納するトレーを指定するものもある。このような場合においては、当該トレーに用紙が収納されてなければ、当該ジョブは正常に実行できないと判断する。
【００４４】
（８）上述した実施形態では、全ての機能を１つの画像形成装置１で実現しているが、複数の装置で実現してもよい。例えば、図２において一点鎖線で囲った部分、すなわち、印刷を行う印刷手段については別装置として構成してもよい。
さらに、端末装置や画像処理装置を画像形成装置１とネットワークでつなぎ、それらを表示操作部６として機能させることもできる。また、これに限らず、記憶部４、画像入力部３、画像形成部８あるいは制御部５の機能を持つ端末装置をネットワークを介して接続して用いても良い。すなわち、実施形態における各部の機能のうち一つまたは２以上についてネットワークを介して接続し、全体としてシステムとして構成してもよい。このような構成を各手段に分離して表現すると以下のようになる。
「画像データに基づいて画像の印刷を行うとともに予め定められた装置各部の状態を示す状態情報を出力する画像出力手段と、
原稿の画像を表す画像データを入力する入力手段と、
前記入力手段から入力された画像データに対して処理を行って前記画像出力手段に供給する処理手段と、
前記処理手段における処理の内容を示す指示を受け付ける処理内容受付手段と、
前記入力手段から入力された画像データに対応して前記処理内容受付手段が受け付けた処理内容と、当該処理内容に従って前記処理手段が処理をした結果である処理後画像データとを対応づけて記憶する記憶手段と、
前記状態情報を受信する状態情報受信手段と、
前記記憶手段に記憶された前記処理後画像データを表示する表示手段と、
前記表示手段に表示された前記処理後画像データに対応する処理内容を前記記憶手段から読み出し、読み出した処理内容と前記状態情報受信手段が受信した状態情報とを比較することにより、前記処理後画像データに対応する処理が前記画像出力装置において可能か否かを判定する判定手段と、
前記判定手段の判定結果が否定的であった場合に、前記表示手段に表示されている前記処理後画像データに対して予め定められた入れ換え処理を行う画像入れ換え手段とを具備し、
前記画像出力手段、前記入力手段、前記処理手段、前記処理内容受付手段、前記記憶手段、前記状態情報受信手段、前記表示手段、前記判定手段および、前記画像入れ換え手段のうち少なくともいずれか一つがネットワークを介して他の手段と接続されていることを特徴とする画像処理システム。」
【図面の簡単な説明】
【００４５】
【図１】本発明の実施形態である画像形成装置１の概略構成を示す斜面図である。
【図２】同実施形態に係る画像形成装置１の概略構成を示すブロック図である。
【図３】同実施形態に係るサムネイル表示の動作を示すフロー図である。
【図４】同実施形態に係るサムネイルの一覧表示画面の一例を示す図である。
【図５】同実施形態に係るサムネイルの一覧表示画面の一例を示す図である。
【図６】同実施形態に係るサムネイルの一覧表示画面の一例を示す図である。
【図７】同実施形態の変形例に係るサムネイルの一覧表示画面の一例を示す図である。
【図８】同実施形態の変形例に係るサムネイルの一覧表示画面の一例を示す図である。
【図９】同実施形態の変形例に係るサムネイルの一覧表示画面の一例を示す図である。
【符号の説明】
【００４６】
１…画像形成装置、２…筐体、３…画像入力部、４…記憶部、５…制御部、６…表示操作部、７…用紙収納部、８…画像形成部、５１…ＣＰＵ、５２…ＲＯＭ、５３…ＲＡＭ、１０…トナー量検出部。
【図１】
0004687441.tif 000002
【図２】
0004687441.tif 000003
【図３】
0004687441.tif 000004
【図４】
0004687441.tif 000005
【図５】
0004687441.tif 000006
【図６】
0004687441.tif 000007
【図７】
0004687441.tif 000008
【図８】
0004687441.tif 000009
【図９】
0004687441.tif 000010